(57)【要約】【課題】ブッシングとケーブルの誤接続を容易に防止できる工事用開閉器の接続装置を提供する。【解決手段】複数相の架空電線の工事区間の両側に設置され、架空電線の工事区間を遮断するための第１のケーブルが接続される第１のブッシングと、架空電線の工事区間が遮断されているとき、架空電線の工事区間をバイパスするべく導通する第２のケーブルが接続される第２のブッシングとを有する工事用開閉器の接続装置において、第１のケーブルに装着される第１のアダプタと、第１のブッシングに装着される第２のアダプタとを複数相分備え、第１及び第２のアダプタは、第１のケーブル及び第１のブッシングが導通するように同じ相のアダプタ同士が接続可能であり、且つ、異なる相のアダプタ同士が接続不可能である形状を呈する工事用開閉器の接続装置。【選択図】図９
2011166889.tif 000002
【特許請求の範囲】
【請求項１】
複数相の架空電線の工事区間の両側に設置され、前記架空電線の工事区間を遮断するための第１のケーブルが接続される第１のブッシングと、前記架空電線の工事区間が遮断されているとき、前記架空電線の工事区間をバイパスするべく導通する第２のケーブルが接続される第２のブッシングと、を有する工事用開閉器の接続装置において、
前記第１のケーブルに装着される第１のアダプタと、
前記第１のブッシングに装着される第２のアダプタと、を複数相分備え、
前記第１及び第２のアダプタは、前記第１のケーブル及び前記第１のブッシングが導通するように同じ相のアダプタ同士が接続可能であり、且つ、異なる相のアダプタ同士が接続不可能である形状を呈する
ことを特徴とする工事用開閉器の接続装置。
【請求項２】
前記第２のケーブルに装着される第３のアダプタと、
前記第２のブッシングに装着される第４のアダプタと、を複数相分備え、
前記第３及び第４のアダプタは、前記第２のケーブル及び前記第２のブッシングが導通するように同じ相のアダプタ同士が接続可能であり、且つ、異なる相のアダプタ同士が接続不可能である形状を呈する
ことを特徴とする請求項１に記載の工事用開閉器の接続装置。
【請求項３】
前記第１のアダプタは、前記第１のケーブル芯線と電気的に接続される突出ピンを有し、
前記第２のアダプタは、前記突出ピンと電気的に接続される挿入孔を有する
ことを特徴とする請求項１に記載の工事用開閉器の接続装置。
【請求項４】
前記第３のアダプタは、前記第２のケーブルの芯線と電気的に接続される突出ピンを有し、
前記第４のアダプタは、前記突出ピンと電気的に接続される挿入孔を有する
ことを特徴とする請求項２に記載の工事用開閉器の接続装置。
【発明の詳細な説明】
【技術分野】
【０００１】
本発明は、工事用開閉器の接続装置に関する。
【背景技術】
【０００２】
例えば、架空電線について張替え工事等を行う間、架空電線の工事区間を遮断しても電力供給が停止されないように工事区間をバイパスするための工事用開閉器が知られている（例えば特許文献１を参照）。この工事用開閉器は、例えば、工事区間を遮断するべく切断された架空電線の切断箇所の両側を、ケーブルを介して繋ぎ、工事区間の導通又は遮断を切り替え可能としている。つまり、工事用開閉器は、例えば、架空電線が三相三線である場合、架空電線の切断箇所より上流側の三相に夫々繋がれたケーブルが接続される三相分のブッシングと、下流側の三相に夫々繋がれたケーブルが接続される三相分のブッシングとを備えている。そして、工事用開閉器の内部において上流側のブッシングと、これに対応する下流側のブッシングとの導通又は遮断が切り替え可能となっている。これによって、同じ相同士のブッシングとケーブルを夫々接続することで、工事用開閉器及びケーブルを介して、工事区間の導通又は遮断が切り替えられる。これらのブッシングは、例えば相ごとに異なる色で塗り分けられることによって、夫々対応する相が識別されていた。
【先行技術文献】
【特許文献】
【０００３】
【特許文献１】特開平８‐２５６４２９号公報
【発明の概要】
【発明が解決しようとする課題】
【０００４】
しかしながら、前述した工事用開閉器では、各相のブッシング及び各相のケーブルは夫々同じ形状を呈しており、異なる相同士のブッシングとケーブルであっても接続することが可能である。このため、異なる相同士のブッシングとケーブルを誤接続してしまい、工事用開閉器が正常に動作しなくなる虞があった。
【０００５】
本発明はかかる課題に鑑みてなされたものであり、その目的とするところは、ブッシングとケーブルの誤接続を容易に防止できる工事用開閉器の接続装置を提供することにある。
【課題を解決するための手段】
【０００６】
前記課題を解決するための発明は、複数相の架空電線の工事区間の両側に設置され、前記架空電線の工事区間を遮断するための第１のケーブルが接続される第１のブッシングと、前記架空電線の工事区間が遮断されているとき、前記架空電線の工事区間をバイパスするべく導通する第２のケーブルが接続される第２のブッシングとを有する工事用開閉器の接続装置において、前記第１のケーブルに装着される第１のアダプタと、前記第１のブッシングに装着される第２のアダプタとを複数相分備え、前記第１及び第２のアダプタは、前記第１のケーブル及び前記第１のブッシングが導通するように同じ相のアダプタ同士が接続可能であり、且つ、異なる相のアダプタ同士が接続不可能である形状を呈する工事用開閉器の接続装置である。
【０００７】
本発明の他の特徴については、添付図面及び本明細書の記載により明らかとなる。
【発明の効果】
【０００８】
本発明によれば、ブッシングとケーブルの誤接続を容易に防止できる工事用開閉器の接続装置を提供することができる。
【図面の簡単な説明】
【０００９】
【図１】架空電線の工事区間の両側に設置された工事用開閉器と、付属ケーブル及びバイパスケーブルを説明するための模式図である。
【図２】図１に示す工事用開閉器の斜視図である。
【図３】図１に示す工事用開閉器のその他の斜視図である。
【図４】図１に示す付属ケーブルの斜視図である。
【図５】（Ａ）は、図１に示す工事用開閉器のブッシング及び付属ケーブルの側面図であり、（Ｂ）は（Ａ）に示す工事用開閉器のブッシング及び付属ケーブルの断面図である。
【図６】（Ａ）は本実施形態にかかる接続装置の第１のアダプタの側面図であり、（Ｂ）は（Ａ）に示す第１のアダプタのアダプタ接続部側の端面を示す図であり、（Ｃ）は（Ｂ）に示す第１のアダプタのａ−ａ’での断面図であり、（Ｄ）は（Ｃ）に示す第１のアダプタが装着される付属ケーブルの断面図である。
【図７】（Ａ）は本実施形態にかかる接続装置の第２のアダプタの側面図であり、（Ｂ）は（Ａ）に示す第２のアダプタのアダプタ接続部側の端面を示す図であり、（Ｃ）は（Ｂ）に示す第２のアダプタのｂ−ｂ’での断面図であり、（Ｄ）は（Ｃ）に示す第２のアダプタが装着されるブッシングの断面図である。
【図８】は図６（Ｄ）に示す付属ケーブルに装着された図６（Ｃ）に示す第１のアダプタと、図７（Ｄ）に示すブッシングに装着された図７（Ｃ）に示す第２のアダプタの断面図である。
【図９】は図８に示す第１のアダプタ及び第２のアダプタを接続した場合の断面図である。
【図１０】（Ａ）は本実施形態にかかる接続装置のその他の第１のアダプタの側面図であり、（Ｂ）は（Ａ）に示す第１のアダプタの端面を示す図であり、（Ｃ）は（Ｂ）に示す第１のアダプタのｃ−ｃ’での断面図であり、（Ｄ）は（Ｃ）に示す第１のアダプタが装着される付属ケーブルの断面図である。
【図１１】（Ａ）は本実施形態にかかる接続装置のその他の第２のアダプタの側面図であり、（Ｂ）は（Ａ）に示す第２のアダプタの端面を示す図であり、（Ｃ）は（Ｂ）に示す第２のアダプタのｄ−ｄ’での断面図であり、（Ｄ）は（Ｃ）に示す第２のアダプタが装着されるブッシングの断面図である。
【図１２】は図１０（Ｄ）に示す付属ケーブルに装着された図１０（Ｃ）に示す第１のアダプタと、図１１（Ｄ）に示すブッシングに装着された図１１（Ｃ）に示す第２のアダプタの断面図である。
【図１３】は図１２に示す第１のアダプタ及び第２のアダプタを接続した場合の断面図である。
【図１４】（Ａ）は本実施形態にかかる接続装置のその他の第１のアダプタの側面図であり、（Ｂ）は（Ａ）に示す第１のアダプタの端面を示す図であり、（Ｃ）は（Ｂ）に示す第１のアダプタのｅ−ｅ’での断面図であり、（Ｄ）は（Ｃ）に示す第１のアダプタが装着される付属ケーブルの断面図である。
【図１５】（Ａ）は本実施形態にかかる接続装置のその他の第２のアダプタの側面図であり、（Ｂ）は（Ａ）に示す第２のアダプタの端面を示す図であり、（Ｃ）は（Ｂ）に示す第２のアダプタのｆ−ｆ’での断面図であり、（Ｄ）は（Ｃ）に示す第２のアダプタが装着されるブッシングの断面図である。
【図１６】は図１４（Ｄ）に示す付属ケーブルに装着された図１４（Ｃ）に示す第１のアダプタと、図１５（Ｄ）に示すブッシングに装着された図１５（Ｃ）に示す第２のアダプタの断面図である。
【図１７】は図１６に示す第１のアダプタ及び第２のアダプタを接続した場合の断面図である。
【発明を実施するための形態】
【００１０】
本明細書及び添付図面の記載により、少なくとも以下の事項が明らかとなる。
【００１１】
===工事用開閉器、付属ケーブル、バイパスケーブルについて===
本発明にかかる工事用開閉器の接続装置（以下単に接続装置と称する）は、工事用開閉器のブッシング、付属ケーブル（第１のケーブル）、バイパスケーブル（第２のケーブル）に夫々装着される。
【００１２】
そこで、図１、図２、図３、図４を参照しつつ、工事用開閉器１００と、付属ケーブル２０１ａ、２０１ｂ、２０１ｃと、バイパスケーブル２０２ａ、２０２ｂ、２０２ｃとについて説明する。
【００１３】
工事用開閉器１００と、付属ケーブル２０１ａ乃至２０１ｃと、バイパスケーブル２０２ａ乃至２０２ｃとは、例えば電柱３００によって支持される三相三線の架空電線３０１ａ、３０１ｂ、３０１ｃの張替え工事等を行う場合に用いられる。
【００１４】
工事用開閉器１００は、例えば、架空電線３０１ｃの図１において矢印Ｂで示される箇所（以下損傷箇所と称する）に損傷が生じ、新しい架空電線に張替える必要がある場合に、この損傷箇所を挟んで隣接する一対の電柱３００の側面に夫々取り付けられる。尚、一対の工事用開閉器１００は夫々、不図示のチェーンを電柱３００に巻回して、締め付け金具を締め付けること等によって電柱３００に固定される。
【００１５】
図２及び図３に示すように、工事用開閉器１００は、直方体状の開閉器ケース１０３を有し、開閉器ケース１０３の互いに対向する両側壁のうち一方の側壁１０３Ａに第１のブッシング１０１ａ、１０１ｂ、１０１ｃ及び第２のブッシング１０２ａ、１０２ｂ、１０２ｃを有し、他方の側壁１０３Ｂに第１のブッシング１０１ａ乃至１０１ｃを有している。また、開閉器ケース１０３の内部に、不図示の切替機構を有している。
【００１６】
尚、第１のブッシング１０１ａ及び第２のブッシング１０２ａは架空電線３０１ａの相に対応している。第１のブッシング１０１ｂ及び第２のブッシング１０２ｂは架空電線３０１ｂの相に対応している。第１のブッシング１０１ｃ及び第２のブッシング１０２ｃは架空電線３０１ｃの相に対応している。
【００１７】
切替機構は、側壁１０３Ｂに設けられた第１のブッシング１０１ａと、側壁１０３Ａに設けられた第１のブッシング１０１ａ及び第２のブッシング１０２ａの何れか一方又は両方とを選択的に接続する。また、切替機構は、開閉器ケース１０３の側壁１０３Ｂに設けられた第１のブッシング１０１ｂ、１０１ｃ夫々も、側壁１０３Ａに設けられた第１のブッシング１０１ｂ、１０１ｃ及び第２のブッシング１０２ｂ、１０２ｃに対して同様に選択的に接続する。
【００１８】
付属ケーブル２０１ａ乃至２０１ｃは夫々、架空電線３０１ａ乃至３０１ｃの電柱３００よりも上流側と下流側を工事用開閉器１００を介して接続している。つまり、例えば付属ケーブル２０１ａは、架空電線３０１ａの電柱３００よりも上流側に一端が接続され、工事用開閉器１００に他端が接続されるものと、架空電線３０１ａの電柱３００よりも下流側に一端が接続され、工事用開閉器１００に他端が接続されるものとからなる。付属ケーブル２０１ｂ、２０１ｃについても同様である。
【００１９】
例えば、付属ケーブル２０１ａの一端は、架空電線３０１ａの被覆が剥がされた部分に対して、不図示の接続端子によって接続されている。この接続端子は、架空電線３０１ａの被覆が剥がされた部分に例えばボルト締め固定され、架空電線３０１ａと付属ケーブル２０１ａとを電気的に接続する。付属ケーブル２０１ｂ、２０１ｃ夫々の一端についても同様に、接続端子を介して、架空電線３０１ｂ、３０１ｃに接続されている。
【００２０】
また、付属ケーブル２０１ａの他端には、コネクタ２１０ａが一体に取り付けられている。付属ケーブル２０１ａは、このコネクタ２１０ａを介して、工事用開閉器１００の第１のブッシング１０１ａに接続される。尚、付属ケーブル２０１ｂ、２０１ｃ夫々の他端についても同様に、コネクタを介して、工事用開閉器１００の第１のブッシング１０１ｂ、１０１ｃに接続される。
【００２１】
バイパスケーブル２０２ａ乃至２０２ｃは夫々、一対の工事用開閉器１００同士を接続している。バイパスケーブル２０２ａは、両端に夫々コネクタが一体に取り付けられており、このコネクタを介して、一対の工事用開閉器１００の第２のブッシング１０２ａに接続される。尚、バイパスケーブル２０２ｂ、２０２ｃ夫々の両端についても同様に、コネクタを介して、工事用開閉器１００の第２のブッシング１０２ｂ、１０２ｃに接続される。
【００２２】
よって、例えば、図１に示す架空電線３０１ｃの損傷箇所を新しい架空電線に張替える工事を行う場合、先ず、前述したように、付属ケーブル２０１ａ乃至２０１ｃ夫々を、架空電線３０１ａ乃至３０１ｃ及び工事用開閉器１００の第１のブッシング１０１ａ乃至１０１ｃに接続すると共に、バイパスケーブル２０２ａ乃至２０２ｃ夫々を、工事用開閉器１００の第２のブッシング１０２ａ乃至１０２ｃに接続する。
【００２３】
そして、工事用開閉器１００の切替機構によって、側壁１０３Ｂに設けられた第１のブッシング１０１ａ乃至１０１ｃ夫々と、側壁１０３Ａに設けられた第１のブッシング１０１ａ乃至１０１ｃとを接続する。
【００２４】
この状態で、架空電線３０１ａの付属ケーブル２０１ａが接続されている部分同士の間であって、電柱３００付近の箇所（図１において矢印Ａで示される箇所（以下切断箇所と称する））及び、架空電線３０１ｂ、３０１ｃ夫々の切断箇所を切断する。尚、架空電線３０１ａ乃至３０１ｃの損傷箇所を挟んだ切断箇所同士の間が工事区間となる。
【００２５】
これによって、架空電線３０１ａ乃至３０１ｃの工事区間の上流側からの電流は夫々、付属ケーブル２０１ａ乃至２０１ｃ及び工事用開閉器１００を介して切断箇所の下流側へ流れる。
【００２６】
次に、工事用開閉器１００の切替機構によって、側壁１０３Ｂに設けられた第１のブッシング１０１ａ乃至１０１ｃ夫々を、側壁１０３Ａに設けられた第２のブッシング１０２ａ乃至１０２ｃにも接続する。これによって、架空電線３０１ａ乃至３０１ｃの工事区間の上流側からの電流は、更に付属ケーブル２０１ａ乃至２０１ｃ及びバイパスケーブル２０２ａ乃至２０２ｃを介して工事区間の下流側へ流れる。
【００２７】
この状態で、工事用開閉器１００の切替機構によって、側壁１０３Ａに設けられた第１のブッシング１０１ａ乃至１０１ｃ夫々と、側壁１０３Ｂに設けられた第１のブッシング１０１ａ乃至１０１ｃを遮断する。これによって、架空電線３０１ａ乃至３０１ｃの工事区間より上流側からの電流を工事区間よりも下流側へ流しつつ、工事区間を遮断して架空電線３０１ｃの張替え工事を行うことができる。
【００２８】
===付属ケーブルと第１のブッシングとの接続について===
以下、図２乃至図５（Ａ）、（Ｂ）を参照して、側壁１０３Ｂに設けられた第１のブッシング１０１ａと、付属ケーブル２０１ａとの接続部分の構成について説明する。尚、この接続部分において、第１のブッシング１０１ａ乃至１０１ｃ及び第２のブッシング１０２ａ乃至１０２ｃの夫々の形状は互いに同様であり、付属ケーブル２０１ａ乃至２０１ｃ及びバイパスケーブル２０２ａ乃至２０２ｃの夫々の形状は互いに同様である。このため、第１のブッシング１０１ｂ、１０１ｃ及び第２のブッシング１０２ａ乃至１０２ｃと、付属ケーブル２０１ｂ、２０１ｃ及びバイパスケーブル２０２ａ乃至２０２ｃについての説明は省略する。また、工事用開閉器１００の開閉器ケース１０３の側壁１０３Ａ、１０３Ｂに夫々設けられている第１のブッシング１０１ａ乃至１０１ｃも互いに同様の形状を呈している。このため、側壁１０３Ａ側の第１のブッシング１０１ａについての説明も省略する。
【００２９】
付属ケーブル２０１ａと第１のブッシング１０１ａを電気的に接続するため、付属ケーブル２０１ａは、コネクタ２１０ａと、芯線２１４ａとを有している。
【００３０】
芯線２１４ａは、金属等の導電性部材からなり、付属ケーブル２０１ａの長手方向と直交する方向の中央に、長手方向に沿って配置されている。芯線２１４ａに電流が流れることで、付属ケーブル２０１ａが導通する。
【００３１】
コネクタ２１０ａは、例えば付属ケーブル２０１ａの直径よりも長い直径の円筒形状を呈し、挿入孔２１１ａと、挿入溝２１２ａとを有している。挿入孔２１１ａは、コネクタ２１０ａの付属ケーブル２０１ａの長手方向と直交する方向の中央に形成され、後述する第１のブッシング１０１ａの挿入部材１１１ａと嵌合する形状を呈している。また、挿入孔２１１ａの内部では、付属ケーブル２０１ａ内から芯線２１４ａが突出している。
【００３２】
挿入溝２１２ａは、コネクタ２１０ａの挿入孔２１１ａよりも外周側に設けられ、後述する第１のブッシング１０１ａの挿入環状片１１０ａと嵌合する環形状を呈している。
【００３３】
第１のブッシング１０１ａは、工事用開閉器１００の側壁１０３Ｂから突出するように設けられ、挿入環状片１１０ａと、挿入部材１１１ａと、導電棒１１２ａと、挿入孔１１３ａと、ソケット１１４ａとを備えている。
【００３４】
挿入環状片１１０ａは、側壁１０３Ｂから突出し、付属ケーブル２０１ａのコネクタ２１０ａに形成された挿入溝２１２ａと嵌合する環形状を呈している。つまり、挿入環状片１１０ａ及び挿入溝２１２ａは雌雄の関係になっている。
【００３５】
挿入部材１１１ａは、側壁１０３Ｂから突出し、付属ケーブル２０１ａのコネクタ２１０ａに形成された挿入孔２１１ａと嵌合する中空の円筒形状を呈している。つまり、挿入部材１１１ａ及び挿入孔２１１ａは雌雄の関係になっている。
【００３６】
挿入孔１１３ａは、挿入部材１１１ａの内部に設けられており、挿入孔１１３ａの内部にはソケット１１４ａが取り付けられている。ソケット１１４ａは、挿入部材１１１ａと挿入孔２１１ａとが嵌合した際に、芯線２１４ａが挿入される。また、ソケット１１４ａは、内部に芯線２１４ａが挿入された際に、この芯線２１４ａと接触する位置まで、工事用開閉器１００の内部から側壁１０３Ｂを介して延在する導電棒１１２ａの一端側が挿入されている。導電棒１１２ａは、金属等の導電性部材からなり、棒形状を呈している。導電棒１１２ａの他端側は、工事用開閉器１００の切替機構に電気的に接続されている。
【００３７】
これによって、挿入環状片１１０ａと挿入溝２１２ａ、挿入部材１１１ａと挿入孔２１１ａを夫々嵌合して、第１のブッシング１０１ａに付属ケーブル２０１ａのコネクタ２１０ａを接続することで、芯線２１４ａと導電棒１１２ａが接触する。このため、導電棒１１２ａを介して付属ケーブル２０１ａが工事用開閉器１００の切替機構と電気的に接続される。
【００３８】
つまり、切替機構が第１のブッシング１０１ａ及び第２のブッシング１０２ａを選択的に接続することで、ブッシングに接続された付属ケーブル２０１ａ及びバイパスケーブル２０２ａも選択的に接続される。
【００３９】
工事用開閉器１００の切替機構では、架空電線３０１ａの工事区間を導通又は遮断するべく、第１のブッシング１０１ａ及び第２のブッシング１０２ａの接続を切り替える。このため、第１のブッシング１０１ａには一端が架空電線３０１ａに接続された付属ケーブル２０１ａの他端が夫々接続される必要がある。また、一対の工事用開閉器１００の第２のブッシング１０２ａにはバイパスケーブル２０２ａの両端が夫々接続される必要がある。これは、第１のブッシング１０１ｂ、１０１ｃ夫々についても、付属ケーブル２０１ｂ、２０１ｃに対して同様である。また、第２のブッシング１０２ｂ、１０２ｃ夫々についても、バイパスケーブル２０２ｂ、２０２ｃに対して同様である。
【００４０】
しかし、前述したように、第１のブッシング１０１ａ乃至１０１ｃ及び第２のブッシング１０２ａ乃至１０２ｃは夫々同様の形状を呈し、付属ケーブル２０１ａ乃至２０１ｃ及びバイパスケーブル２０２ａ乃至２０２ｃも夫々同様の形状を呈している。このため、異なる相同士のケーブルとブッシングが作業者により誤接続される虞がある。よって、ケーブルとブッシングとの誤接続を防止するため、本実施形態にかかる接続装置を提供する。
【００４１】
===接続装置について===
以下、図６（Ａ）乃至（Ｄ）乃至図１７を参照して、本実施形態にかかる接続装置１について説明する。本実施形態にかかる接続装置１は、第１のアダプタ１ａ、１ｂ、１ｃと、第２のアダプタ２ａ、２ｂ、２ｃと、第３のアダプタ（不図示）と、第４アダプタ（不図示）とを備えている。尚、第１のアダプタ１ａ乃至１ｃは付属ケーブル２０１ａ乃至２０１ｃに夫々装着される。また、第２のアダプタ２ａ乃至２ｃは第１のブッシング１０１ａ乃至１０１ｃに夫々装着される。また、第３のアダプタはバイパスケーブル２０２ａ乃至２０２ｃに夫々装着される。また、第４アダプタは第２のブッシング１０２ａ乃至１０２ｃに夫々装着される。
【００４２】
以下、図６（Ａ）乃至（Ｄ）乃至図９を参照して、本実施形態にかかる接続装置１の第１のアダプタ１ａ及び第２のアダプタ２ａについて説明する。
【００４３】
図６（Ａ）乃至（Ｄ）に示すように、第１のアダプタ１ａは、一端側に付属ケーブル２０１ａと接続可能である形状を呈するケーブル接続部１０ａを有し、他端側に第２のアダプタ２ａに接続可能であり、第２のアダプタ２ｂ、２ｃに夫々接続不可能である形状を呈するアダプタ接続部１１ａを有している。
【００４４】
ケーブル接続部１０ａは、付属ケーブル２０１ａのコネクタ２１０ａと嵌合するように、前述した第１のブッシング１０１ａの側壁１０３Ｂから突出している部分と同様の形状を呈している。具体的には、ケーブル接続部１０ａは、挿入環状片１２ａと、挿入部材１３ａと、挿入孔１４ａと、ソケット１５ａと、突出ピン１６ａとを有している。
【００４５】
挿入環状片１２ａは、第１のアダプタ１ａの一端側の端面の外周縁付近から突出し、前述した挿入環状片１１０ａと同様の形状を呈している。挿入部材１３ａは、第１のアダプタ１ａの一端側の端面の中央から突出し、前述した挿入部材１１１ａと同様の形状を呈している。
【００４６】
挿入孔１４ａは、挿入部材１３ａの内部に設けられ、内部にソケット１５ａが取り付けられている。ソケット１５ａは、挿入部材１３ａと挿入孔２１１ａとが嵌合した際に、芯線２１４ａが挿入される。また、ソケット１５ａは、内部に芯線２１４ａが挿入された際に、この芯線２１４ａと接触する位置まで、突出ピン１６ａの一端側が挿入されている。突出ピン１６ａは、金属等の導電性部材からなり、棒形状を呈している。突出ピン１６ａの他端側は、アダプタ接続部１１ａ側に延在している。
【００４７】
アダプタ接続部１１ａは、挿入環状片１７ａと、切欠１７ａ’、１９ａと、挿入孔１８ａとを有している。挿入環状片１７ａは、第１のアダプタ１ａの他端側の端面の外周縁付近から突出しており、切欠１７ａ’を有する環形状を呈している。切欠１７ａ’は、後述する第２のアダプタ２ａの突片２２ａ’と嵌合する形状を呈している。
【００４８】
挿入孔１８ａは、第１のアダプタ１ａの他端側の端面の中央に形成され、後述する第２のアダプタ２ａの挿入部材２３ａと嵌合する形状を呈している。また、挿入孔１８ａの内部では、突出ピン１６ａの他端側が突出している。
【００４９】
切欠１９ａは、切欠１７ａ’と挿入孔１８ａの間の、第１のアダプタ１ａの他端側の端面に設けられ、後述する第２のアダプタ２ａの突片２７ａと嵌合する形状を呈している。
【００５０】
図７（Ａ）乃至（Ｄ）に示すように、第２のアダプタ２ａは、一端側に第１のアダプタ１ａに接続可能であり、第２のアダプタ２ｂ、２ｃに夫々接続不可能である形状を呈するアダプタ接続部２０ａを有し、他端側に第１のブッシング１０１ａと接続可能な形状を呈するブッシング接続部２１ａを有している。
【００５１】
アダプタ接続部２０ａは、第１のアダプタ１ａのアダプタ接続部１１ａと嵌合する形状を呈している。具体的には、アダプタ接続部２０ａは、挿入溝２２ａと、突片２２ａ’、２７ａと、挿入部材２３ａと、挿入孔２４ａと、ソケット２５ａと、突出ピン２６ａとを有している。
【００５２】
挿入溝２２ａは、第２のアダプタ２ａの一端側の端面の外周縁付近に設けられ、第１のアダプタ１ａの挿入環状片１７ａと嵌合する環形状を呈している。突片２２ａ’は、挿入溝２２ａの内部に設けられ、挿入環状片１７ａの有する切欠１７ａ’と嵌合する。つまり、挿入溝２２ａと挿入環状片１７ａは、突片２２ａ’と切欠１７ａ’が対向する位置関係となるときに嵌合する。
【００５３】
挿入部材２３ａは、第２のアダプタ２ａの一端側の端面の中央から突出し、前述した挿入部材１１１ａと同様の形状を呈している。挿入孔２４ａは、挿入部材２３ａの内部に設けられ、内部にソケット２５ａが取り付けられている。ソケット２５ａは、挿入部材２３ａと挿入孔１８ａが嵌合した際に、突出ピン１６ａが挿入される。また、ソケット２５ａは、内部に突出ピン１６ａが挿入された際に、この突出ピン１６ａと接触する位置まで、突出ピン２６ａの一端側が挿入されている。突出ピン２６ａは、金属等の導電性材料からなり、棒形状を呈している。突出ピン２６ａの他端側は、ブッシング接続部２１ａ側に延在している。
【００５４】
突片２７ａは、突片２２ａ’と挿入部材２３ａの間の、第２のアダプタ２ａの一端側の端面から突出し、第１のアダプタ１ａの切欠１９ａと嵌合する形状を呈している。つまり、アダプタ接続部１１ａ、２０ａは互いに、突片２７ａと切欠１９ａが対向する位置関係となるときに嵌合する。
【００５５】
ブッシング接続部２１ａは、第１のブッシング１０１ａの側壁１０３Ｂから突出している部分と嵌合するように、前述した付属ケーブル２０１ａのコネクタ２１０ａの端部と同様の形状を呈し、芯線２１４ａのかわりに突出ピン２６ａが設けられている。つまり、ブッシング接続部２１ａは、挿入孔２８ａと、挿入溝２９ａとを有している。
【００５６】
挿入孔２８ａは、第２のアダプタ２ａの他端側の端面の中央に形成され、第１のブッシング１０１ａの挿入部材１１１ａと嵌合する形状を呈している。挿入孔２８ａの内部では、挿入部材１１１ａと挿入孔２８ａとが嵌合した際に、ソケット１１４ａ内で導電棒１１２ａと突出ピン２６ａとが接触するように、突出ピン２６ａの他端側がアダプタ接続部２０ａ側から突出している。
【００５７】
よって、図８に示すように、挿入環状片１２ａと挿入溝２１２ａ、挿入部材１３ａと挿入孔２１１ａを夫々嵌合することで、付属ケーブル２０１ａに第１のアダプタ１ａが装着される。また、挿入溝２９ａと挿入環状片１１０ａ、挿入孔２８ａと挿入部材１１１ａを夫々嵌合することで、第１のブッシング１０１ａに第２のアダプタ２ａが装着される。
【００５８】
そして、図９に示すように、付属ケーブル２０１ａに装着された第１のアダプタ１ａと、第１のブッシング１０１ａに装着された第２のアダプタ２ａは、突片２７ａと切欠１９ａの位置が一致すると共に、突片２２ａ’と切欠１７ａ’の位置が一致するような位置関係において接続される。これによって、付属ケーブル２０１ａ及び第１のブッシング１０１ａが、突出ピン１６ａ、２６ａを介して電気的に接続される。
【００５９】
以下、図１０（Ａ）乃至（Ｄ）乃至図１３を参照して、本実施形態にかかる接続装置１の第１のアダプタ１ｂ及び第２のアダプタ２ｂについて説明する。尚、必要に応じて図６（Ｂ）及び図７（Ｂ）を参照する。
【００６０】
図１０（Ａ）乃至（Ｄ）に示すように第１のアダプタ１ｂは、前述した第１のアダプタ１ａのケーブル接続部１０ａと同様の形状を呈するケーブル接続部１０ｂと、前述した第１のアダプタ１ａのアダプタ接続部１１ａのうち切欠１９ａに対する切欠１７ａ’の位置が異なる形状を呈するアダプタ接続部１１ｂとを有している。
【００６１】
具体的には、図１０（Ｂ）及び図６（Ｂ）に示すようにアダプタ接続部１１ｂは、切欠１９ａに対して切欠１７ａ’を時計回りに約９０度回転させた場合のアダプタ接続部１１ａの形状と同様の形状を呈している。
【００６２】
尚、図１０（Ａ）乃至（Ｄ）に示す切欠１７ｂ’を除いた構成のうち、図６（Ａ）乃至（Ｄ）に示す構成に対応するものには、末尾の記号をｂにかえた同一の番号を付し、その説明を省略する。
【００６３】
図１１（Ａ）乃至（Ｄ）に示すように第２のアダプタ２ｂは、前述した第２のアダプタ２ａのブッシング接続部２１ａと同様の形状を呈するブッシング接続部２１ｂと、前述した第２のアダプタ２ａのアダプタ接続部２０ａのうち突片２７ｂに対する突片２２ｂ’の位置が異なる形状を呈するアダプタ接続部２０ｂとを有している。
【００６４】
具体的には、図１１(Ｂ)及び図７（Ｂ）に示すようにアダプタ接続部２０ｂは、突片２７ａに対して突片２２ａ’を反時計回りに約９０度回転させた場合のアダプタ接続部２０ａの形状と同様の形状を呈している。このため、アダプタ接続部２０ｂは、アダプタ接続部１１ｂと対向したときに、切欠１９ｂと突片２７ｂの位置が一致すると共に、切欠１７ｂ’と突片２２ｂ’の位置が一致するようになっている。
【００６５】
尚、図１１（Ａ）乃至（Ｄ）に示す突片２２ｂ’を除いた構成のうち、図７（Ａ）乃至（Ｄ）に示す構成に対応するものには、末尾の記号をｂにかえた同一の番号を付し、その説明を省略する。
【００６６】
よって、図１２に示すように、挿入環状片１２ｂと挿入溝２１２ｂ、挿入部材１３ｂと挿入孔２１１ｂを夫々嵌合することで、付属ケーブル２０１ｂに第１のアダプタ１ｂが装着される。また、挿入溝２９ｂと挿入環状片１１０ｂ、挿入孔２８ｂと挿入部材１１１ｂを夫々嵌合することで、第１のブッシング１０１ｂに第２のアダプタ２ｂが装着される。
【００６７】
そして、図１３に示すように、付属ケーブル２０１ｂに装着された第１のアダプタ１ｂと、第１のブッシング１０１ｂに装着された第２のアダプタ２ｂは、突片２７ｂと切欠１９ｂの位置が一致すると共に、突片２２ｂ’と切欠１７ｂ’の位置が一致するような位置関係において接続される。これによって、付属ケーブル２０１ｂ及び第１のブッシング１０１ｂが、突出ピン１６ｂ、２６ｂを介して電気的に接続される。
【００６８】
以下、図１４（Ａ）乃至（Ｄ）乃至図１７を参照して、本実施形態にかかる接続装置１の第１のアダプタ１ｃ及び第２のアダプタ２ｃについて説明する。尚、必要に応じて図６（Ｂ）及び図７（Ｂ）を参照する。
【００６９】
図１４（Ａ）乃至（Ｄ）に示すように第１のアダプタ１ｃは、前述した第１のアダプタ１ａのケーブル接続部１０ａと同様の形状を呈するケーブル接続部１０ｃと、前述した第１のアダプタ１ａのアダプタ接続部１１ａのうち切欠１９ａに対する切欠１７ａ’の位置が異なる形状を呈するアダプタ接続部１１ｃとを有している。
【００７０】
具体的には、図１４（Ｂ）及び図６（Ｂ）に示すように、アダプタ接続部１１ｃは、切欠１９ａに対して切欠１７ａ’を時計回りに約１８０度回転させた場合のアダプタ接続部１１ａの形状と同様の形状を呈している。
【００７１】
尚、図１４（Ａ）乃至（Ｄ）に示す切欠１７ｃ’を除いた構成のうち、図６（Ａ）乃至（Ｄ）に示す構成に対応するものには、末尾の記号をｃにかえた同一の番号を付し、その説明を省略する。
【００７２】
図１５（Ａ）乃至（Ｄ）に示すように第２のアダプタ２ｃは、前述した第２のアダプタ２ａのブッシング接続部２１ａと同様の形状を呈するブッシング接続部２１ｃと、前述した第２のアダプタ２ａのアダプタ接続部２０ａのうち突片２７ｃに対する突片２２ｃ’の位置が異なる形状を呈するアダプタ接続部２０ｃとを有している。
【００７３】
具体的には、図１５(Ｂ)及び図７（Ｂ）に示すようにアダプタ接続部２０ｃは、突片２７ａに対して突片２２ａ’を時計回りに約１８０度回転させた場合のアダプタ接続部２０ａの形状と同様の形状を呈している。このため、アダプタ接続部２０ｃは、アダプタ接続部１１ｃと対向したときに、切欠１９ｃと突片２７ｃの位置が一致すると共に、切欠１７ｃ’と突片２２ｃ’の位置が一致するようになっている。
【００７４】
尚、図１５（Ａ）乃至（Ｄ）に示す突片２２ｃ’を除いた構成のうち、図７（Ａ）乃至（Ｄ）に示す構成に対応するものには、末尾の記号をｃにかえた同一の番号を付し、その説明を省略する。
【００７５】
よって、図１６に示すように、挿入環状片１２ｃと挿入溝２１２ｃ、挿入部材１３ｃと挿入孔２１１ｃを夫々嵌合することで、付属ケーブル２０１ｃに第１のアダプタ１ｃが装着される。また、挿入溝２９ｃと挿入環状片１１０ｃ、挿入孔２８ｃと挿入部材１１１ｃを夫々嵌合することで、第１のブッシング１０１ｃに第２のアダプタ２ｃが装着される。
【００７６】
そして、図１７に示すように、付属ケーブル２０１ｃに装着された第１のアダプタ１ｃと、第１のブッシング１０１ｃに装着された第２のアダプタ２ｃは、突片２７ｃと切欠１９ｃの位置が一致すると共に、突片２２ｃ’と切欠１７ｃ’の位置が一致するような位置関係において接続される。これによって、付属ケーブル２０１ｂ及び第１のブッシング１０１ｃが、突出ピン１６ｃ、２６ｃを介して電気的に接続される。
【００７７】
以上より、切欠１９ａ乃至１９ｃと突片２７ａ乃至２７ｃの位置及び切欠１７ａ’乃至１７ｃ’と突片２２ａ’乃至２２ｃ’の位置が共に一致するように対向するアダプタ接続部１１ａ乃至１１ｃ及びアダプタ接続部２０ａ乃至２０ｃは、一対一の関係となる。つまり、アダプタ接続部１１ａ乃至１１ｃの夫々には、アダプタ接続部２０ａ乃至２０ｃの夫々のみが嵌合する。このため、第１のアダプタ１ａ乃至１ｃを夫々付属ケーブル２０１ａ乃至２０１ｃに装着し、第２のアダプタ２ａ乃至２ｃを第１のブッシング１０１ａ乃至１０１ｃに装着することで、付属ケーブル２０１ａ乃至２０１ｃの夫々は第１のブッシング１０１ａ乃至１０１ｃのみに接続可能となる。
【００７８】
尚、不図示ではあるが第３のアダプタは、バイパスケーブル２０２ａ乃至２０２ｃに対応する三相分からなり、前述した第１のアダプタ１ａ乃至１ｃと同様に、バイパスケーブル２０２ａ乃至２０２ｃと接続される形状のケーブル接続部と、互いに異なる形状のアダプタ接続部とを夫々備えている。
【００７９】
例えば、第３のアダプタのアダプタ接続部は、前述したアダプタ接続部１１ａの切欠１９ａに対する切欠１７ａ’の位置が、アダプタ接続部１１ａ乃至１１ｃの何れとも異なると共に、第３のアダプタ同士でも夫々異なるように配置された場合と同様の形状を呈していればよい。
【００８０】
また、不図示ではあるが第４のアダプタは、第２のブッシング１０２ａ乃至１０２ｃに対応する三相分からなり、前述した第２のアダプタ２ａ乃至２ｃと同様に、第２のブッシング１０２ａ乃至１０２ｃと接続される形状のブッシング接続部と、前述した第３のアダプタのアダプタ接続部と対応する相ごとに一対一の関係で嵌合する形状のアダプタ接続部とを夫々備えている。
【００８１】
第３のアダプタ及び第４のアダプタを夫々、バイパスケーブル２０２ａ乃至２０２ｃ及び第２のブッシング１０２ａ乃至１０２ｃに装着することによって、バイパスケーブル２０２ａ乃至２０２ｃの夫々は第２のブッシング１０２ａ乃至１０２ｃのみに接続可能となる。
【００８２】
よって、本実施形態にかかる接続装置１では、異なる相同士のケーブルとブッシングが作業者により誤接続されることを防止することができる。このため、ケーブルとブッシングとの誤接続による工事用開閉器１００の誤動作を防止することができ、架空電線３０１ａ乃至３０１ｃに対する工事の間、電力の供給が停止してしまうことを防止できる。また、工事中に工事区間が導通してしまうことを防止することができる。
【００８３】
また、本実施形態にかかる接続装置１では、第１及び第３のアダプタがケーブル接続部を備え、第２及び第４のアダプタがブッシング接続部を備えている。このため、ケーブルの形状及びブッシングの形状を変更することなく、ケーブル及びブッシングに第１のアダプタ及び第２のアダプタを夫々装着することができる。また、ケーブル接続部及びブッシング接続部をケーブル及びブッシングに対して夫々嵌合する作業のみで容易にケーブル及びブッシングに第１のアダプタ及び第２のアダプタを夫々装着することができる。よって、ケーブルとブッシングとの誤接続を容易に防止することができる。
【００８４】
<<<その他の実施形態>>>
前述した実施形態は、本発明の理解を容易にするためのものであり、本発明を限定して解釈するためのものではない。本発明は、その趣旨を逸脱することなく変更、改良されると共に、本発明にはその等価物も含まれる。
【００８５】
前述した実施形態では、突片２７ａ乃至２７ｃ夫々に対する切欠１７ａ’乃至１７ｃ’を互いに異なる位置とすることで、第１のアダプタと第２のアダプタのうち同じ相同士が接続可能であり、且つ、異なる相のアダプタ同士が接続不可能であることとした。しかし、特にこれに限定されるものではなく、第１のアダプタと第２のアダプタのアダプタ接続部は、相ごとに異なり、且つ、互いに一対一の関係で接続されるような外形形状を呈していてもよい。
【００８６】
また、前述した実施形態では、付属ケーブルとバイパスケーブルは同様の形状を呈していることとしたが、特にこれに限定されるものではなく、互いに異なる形状を呈していてもよい。付属ケーブルとバイパスケーブルの形状が互いに異なる場合、第３のアダプタのケーブル接続部をバイパスケーブルのコネクタと嵌合する形状とし、同様にバイパスケーブルに装着することで、異なる相同士のバイパスケーブルの誤接続を防止することができる。
【符号の説明】
【００８７】
１…接続装置，１ａ、１ｂ、１ｃ…第１のアダプタ，２ａ、２ｂ、２ｃ…第２のアダプタ，１０ａ、１０ｂ、１０ｃ…ケーブル接続部，１１ａ、１１ｂ、１１ｃ、２０ａ、２０ｂ、２０ｃ…アダプタ接続部，２１ａ、２１ｂ、２１ｃ…ブッシング接続部，１２ａ、１７ａ、１１０ａ…挿入環状片，１３ａ、２３ａ、１１１ａ…挿入部材，１４ａ、１８ａ、２４ａ、２８ａ、１１３ａ、２１１ａ…挿入孔，１５ａ、２５ａ、１１４ａ…ソケット，１６ａ、１６ｂ、１６ｃ、２６ａ、２６ｂ、２６ｃ…突出ピン，１７ａ’、１７ｂ’、１７ｃ’、１９ａ、１９ｂ、１９ｃ…切欠，２２ａ、２９ａ、２１２ａ…挿入溝，２２ａ’、２２ｂ’、２２ｃ’、２７ａ、２７ｂ、２７ｃ…突片，１００…工事用開閉器，１０１ａ、１０１ｂ、１０１ｃ…第１のブッシング，１０２ａ、１０２ｂ、１０２ｃ…第２のブッシング，１０３…開閉器ケース，１０３Ａ、１０３Ｂ…側壁，１１２ａ…導電棒，２０１ａ、２０１ｂ、２０１ｃ…付属ケーブル，２０２ａ、２０２ｂ、２０２ｃ…バイパスケーブル，２１０ａ…コネクタ，２１４ａ…芯線，３００…電柱，３０１ａ、３０１ｂ、３０１ｃ…架空電線
【図１】
2011166889.tif 000003
【図２】
2011166889.tif 000004
【図３】
2011166889.tif 000005
【図４】
2011166889.tif 000006
【図５】
2011166889.tif 000007
【図６】
2011166889.tif 000008
【図７】
2011166889.tif 000009
【図８】
2011166889.tif 000010
【図９】
2011166889.tif 000011
【図１０】
2011166889.tif 000012
【図１１】
2011166889.tif 000013
【図１２】
2011166889.tif 000014
【図１３】
2011166889.tif 000015
【図１４】
2011166889.tif 000016
【図１５】
2011166889.tif 000017
【図１６】
2011166889.tif 000018
【図１７】
2011166889.tif 000019